(57)【要約】【課題】本発明は、河川流から効率良く水力エネルギを回収することができる水力エネルギ回収装置を提供するものである。【解決手段】本発明の水力エネルギ回収ユニット１０は、水車１１と、水車１１に水を増速させて導入する増速流路１２をユニット化したものである。増速流路１２は、流水を増速させて水車１１に導入する流路構造を備えており、流水を増速させる手段として狭窄部１４を備えている。この増速流路１２の上流取水口１５は、水車１１の受水面積より広くなっており、狭窄部１４は、流路の両側壁１６、１７を、上流側から下流側に向けて間隔が徐々に狭くなるように逆ハの字形に設置したものである。この水力エネルギ回収ユニット１０は、上流取水口１５から河川流の一部を取り込み、狭窄部１４で流水を徐々に増速させる。これにより、単位流量あたりの水力エネルギが増大し、水車１１の受水面により大きな水力エネルギが作用し、大きな水力エネルギを回収することができるようになる。【選択図】図１
2004036453.tif 000002
【特許請求の範囲】
【請求項１】
水力エネルギを回収する水力エネルギ回収装置と、
前記水力エネルギ回収装置の上流側で水の流れを増速させ、増速させた水を水力エネルギ回収装置に導入する増速流路とを備えたことを特徴とする水力エネルギ回収ユニット。
【請求項２】
前記増速流路が、前記水力エネルギ回収装置の上流側に、上流側から下流側に向けて流路断面が徐々に縮小した狭窄部を備え、該狭窄部で水の流れを増速させることを特徴とする請求項１に記載の水力エネルギ回収ユニット。
【請求項３】
前記増速流路が狭窄部で増速させた水の流れ方向を整えて水力エネルギ回収装置に導入する整流部を備えていることを特徴とする請求項２に記載の水力エネルギ回収ユニット。
【請求項４】
前記増速流路が、前記水力エネルギ回収装置の上流側に、水の流れを増速させる潜堰部を備えていることを特徴とする請求項１から３の何れかに記載の水力エネルギ回収ユニット。
【請求項５】
前記増速流路が、前記水力エネルギ回収装置の上流側に、水の流れを増速させる水門部を備えていることを特徴とする請求項１から４の何れかに記載の水力エネルギ回収ユニット。
【請求項６】
前記狭窄部と整流部の境界部の底に流れ方向の縦断面形状が山状の潜堰部を設けたことを特徴とする請求項３に記載の水力エネルギ回収ユニット。
【発明の詳細な説明】
【０００１】
【発明の属する技術分野】
本発明は、流水から水力エネルギを回収する水力エネルギ回収装置に関するものである。
【０００２】
【従来の技術】
流水から水力エネルギを回収する水力エネルギ回収装置（水力原動機）は、例えば、水力発電所に用いられている水車が知られている。水力発電所では、ダムなどで水の流れを堰止めて高い位置エネルギを持つ水又は底部の高い圧力の掛かった水から水力エネルギを回収している。
【０００３】
【発明が解決しようとする課題】
ところで、ダムなどで水の流れを堰き止める場合は、その建設費用・維持費用が嵩み、莫大な費用が必要である。しかも河川を遮断してしまうので、魚や小動物の往来を妨げて生態系を乱したり、ダムの上流側一帯を水没させたり、下流側の河川の枯渇させたりするなど、自然環境を変化させるおそれがある。
【０００４】
また、近年では、水力エネルギの回収効率の良い高性能な水車を開発し、河川流からエネルギを回収することも検討されているが、河川流は単位流量（単位時間あたりにある断面を通る流量）の水力エネルギが小さいので、大きな出力を得ることができない。
【０００５】
そこで、本発明は、河川流から効率良く水力エネルギを回収することができる水力エネルギ回収装置を提供するものである。
【０００６】
【課題を解決するための手段】
本発明者らは、単位流量あたりの水力エネルギが、流速増速に伴い、流速の３乗に比例するという点を考慮し、河川流や流水の持つ水力エネルギをより効率良く抽出・回収するためには、水力エネルギ回収装置に導入する流水の速度を増加させることが重要であると考え、以下の水力エネルギ回収ユニットを考えた。
【０００７】
請求項１に記載の水力エネルギ回収ユニットは、水力エネルギを回収する水力エネルギ回収装置と、前記水力エネルギ回収装置の上流側で水の流れを増速させ、増速させた水を水力エネルギ回収装置に導入する増速流路とを備えたことを特徴としている。この水力エネルギ回収ユニットは、増速流路で水の流れを増速させ、水力エネルギ回収装置に導入する水の単位流量あたりの水力エネルギを大きくすることができるので、水力エネルギ回収装置でより効率良く水力エネルギを回収することができる。また、このように増速流路と、水力エネルギ回収装置をユニット化したものは、河川の水の流れの中に設置することができるので、河川を堰き止めることなく、その水力エネルギを効率よく利用することができる。従って、この水力エネルギ回収ユニットを利用すれば、ダムなどに比べ極めて低コストで、かつ、環境に優しい水力発電が可能になる。
【０００８】
請求項２に記載の水力エネルギ回収ユニットは、増速流路が、水力エネルギ回収装置の上流側に、上流側から下流側に向けて流路断面が徐々に縮小した狭窄部を備え、該狭窄部で水の流れを増速させることを特徴としている。この水力エネルギ回収ユニットは、増速流路における狭窄部で、より多くの河川流を集めて水力エネルギ回収装置に作用させることができ、かつ、狭窄部を流れる水は流路断面が徐々に狭くなるにつれて増速するので、水力エネルギ回収装置に導入する水の単位流量あたりの水力エネルギを大きくすることができる。これにより、より効率良く河川流の水力エネルギを回収することができる。
【０００９】
請求項３に記載の水力エネルギ回収ユニットは、増速流路が狭窄部で増速させた水の流れ方向を整えて水力エネルギ回収装置に導入する整流部を備えていることを特徴としている。この水力エネルギ回収ユニットは、整流部で流れ方向を一定方向にした流水を水力エネルギ回収装置の受水面に作用させることができるので、より効率良く水力エネルギを回収することができる。
【００１０】
請求項４に記載の水力エネルギ回収ユニットは、増速流路が、水力エネルギ回収装置の上流側に、水の流れを増速させる潜堰部を備えていることを特徴としている。この水力エネルギ回収ユニットは、増速流路で潜堰部を越える位置エネルギの高い水を下流側に流すことによって水の流れを増速させており、水力エネルギ回収装置に導入する水の単位流量あたりの水力エネルギを大きくすることができる。これにより、より効率良く河川流の水力エネルギを回収することができる。
【００１１】
請求項５に記載の水力エネルギ回収ユニットは、増速流路が、前記水力エネルギ回収装置の上流側に、水の流れを増速させる水門部を備えていることを特徴としている。この水力エネルギ回収ユニットは、水門部で高い圧力の掛かった水を下流側に流すことによって水の流れを増速させており、水力エネルギ回収装置に導入する水の単位流量あたりの水力エネルギを大きくすることができる。これにより、より効率良く河川流の水力エネルギを回収することができる。
【００１２】
請求項６に記載の水力エネルギ回収ユニットは、狭窄部と整流部の境界部の底に、流れ方向の縦断面形状が山状の潜堰部を設けたことを特徴としている。この水力エネルギ回収ユニットは、狭窄部で水を増速させ、さらに山状の潜堰部を越えさせて水を増速させており、さらに整流部によって水の流れ方向が整えて水力エネルギ回収装置に導入しているので、より効率良く河川流の水力エネルギを回収することができる。
【００１３】
【発明の実施の形態】
以下、本発明に係る水力エネルギ回収ユニットの実施の形態を図面に基づいて説明する。なお、同じ作用を奏する部材・部位には、同一の符号を付し、重複する説明は省略する。
【００１４】
本発明の第１実施形態の水力エネルギ回収ユニット１０は、図１に示すように、水力エネルギ回収装置としての水車１１と、水車１１に水を増速させて導入する増速流路１２をユニット化したものである。なお、図中の矢印は水の流れを示している。
【００１５】
水車１１は、回転軸１３を垂直に設置した縦軸水車であり、増速流路１２の下流排水部に設置している。この水車１１は、水力を受けて回転し、受水面で受けた水力エネルギの一部を回転軸１３の回転トルクに変換して出力することができる。
【００１６】
増速流路１２は、流水を増速させて水車１１に導入する流路構造を備えており、上流側に流水を増速させる狭窄部１４を設け、狭窄部１４の下流側（増速流路１２の下流排水部）に水車１１を設置する水車設置部（図示省略）を備えている。増速流路１２の上流取水口１５は、水車１１の受水面積より広くなっており、より多くの水を水車１１に導入することができるようになっている。狭窄部１４は、流路の両側壁１６、１７を、上流側から下流側に向けて間隔が徐々に狭くなるように逆ハの字形に設置しており、上流側から下流側に向けて徐々に流路断面が狭くなっている。
【００１７】
この水力エネルギ回収ユニット１０は、増速流路１２の上流取水口１５を上流側に向け、下流排水口１８を下流側に向けて、例えばアンカなどの固定手段（図示省略）により、河川の水流に流されないように設置する。
【００１８】
水力エネルギ回収ユニット１０の増速流路１２は、上流取水口１５から河川流の一部を取り込む。増速流路１２の上流取水口１５に流入した水は、狭窄部１４で流路断面が狭くなるにつれて徐々に増速する。狭窄部１４の流水は、徐々に増速するので、単位流量あたりの水力エネルギが増大し、水車１１の受水面により大きな水力エネルギが作用する。これにより、水力エネルギ回収ユニット１０は、水車１１でより大きな水力エネルギを回収することができる。
【００１９】
なお、上述したように、第１実施形態の水力エネルギ回収ユニット１０は、増速流路１２に水の流れを増速させる狭窄部１４を備えたものであるが、狭窄部１４の設計は河川流の水理条件を考慮して行うと良い。狭窄部１４で増速率を向上させるためには、狭窄部１４の入口部分の流路断面に対して出口部分の流路断面をより小さくしたり、狭窄部１４の長さを長くしたりするとよい。
【００２０】
以下に、第１実施形態に係る水力エネルギ回収ユニットの変形例を説明する。
【００２１】
第１の変形例に係る水力エネルギ回収ユニット１０’は、図２に示すように、狭窄部１４の片側の側壁１６’を流れ方向に略平行に設置し、反対側の側壁１７’を上流側から下流側に向けて徐々に、流れ方向に略平行に設置した側壁１６’に近づけるように斜めに設置している。これにより、狭窄部１４の両側壁１６’、１７’の間隔を上流側から下流側に向けて徐々に狭くしている。また、水車１１は縦軸水車で、狭窄部１４の出口部分下流側の流路において、狭窄部１４の斜めに設置した側壁１７’側に水車１１を偏らせて設置している。
【００２２】
この水力エネルギ回収ユニット１０’によれば、水車１１は、狭窄部１４の出口部分下流側の流路において、回転軸１３の片側で水の流れを受けるので、水車１１のエネルギ回収効率をより向上させることができる。また、水車１１を、狭窄部１４の斜めに設置した側壁１７’側に偏らせて設置することにより、省スペース化を図り水力エネルギ回収ユニットをよりコンパクトにすることができる。
【００２３】
第２の変形例に係る水力エネルギ回収ユニット１０’’は、図３に示すように、増速流路の狭窄部１４において、天井面１９を上流側から下流側に向けて徐々に低くなるように斜めに設置したものであり、狭窄部１４の流路断面は高さ方向において上流側から下流側に向けて徐々に狭くなっている。また、水車１１’は、回転軸１３’を水平に設置した横軸水車であり、狭窄部１４の出口部分下流側の流路において、狭窄部１４の斜めに設置した天井面１９側に水車１１’を偏らせて設置している。
【００２４】
この水力エネルギ回収ユニット１０’’は、増速流路が水没するのに十分な水位と、水量を有する場所に設置する。この水力エネルギ回収ユニット１０’’によれば、狭窄部１４の流路断面は高さ方向において上流側から下流側に向けて狭くなっており、狭窄部１４を流れる水は、上流側から下流側に向けて徐々に増速する。水車１１’は、狭窄部１４の出口部分下流側の流路において、回転軸１３’の下側で水の流れを受けるので、効率良く水力エネルギを回収することができる。
【００２５】
以上、第１実施形態に係る水力エネルギ回収ユニット１０について説明したが、増速流路１２の狭窄部１４は上流側から下流側に向けて徐々に流路断面を狭くして流水を徐々に増速させるものであればよい。従って、上記に限定されるものではない。図示は省略するが、狭窄部１４の流路の側壁、床面、天井面は曲面で構成してもよく、例えば、上流側から下流側に向けてベルマウス状に流路断面を狭くしたものでもよい。
【００２６】
次に、本発明の第２実施形態の水力エネルギ回収ユニットを説明する。
【００２７】
第２実施形態の水力エネルギ回収ユニット２０は、図４に示すように、水力エネルギ回収装置としての水車１１と、水車１１に水を増速させて導入する増速流路１２を備えており、増速流路１２は、狭窄部１４と、狭窄部１４で増速させた水の流れ方向を整える整流部２１を備えている。
【００２８】
整流部２１は、狭窄部１４の出口部分下流側の流路において、流路の両側壁２２、２３を平行に設置したものである。整流部２１は、狭窄部１４から整流部２１に流入した水の流れ方向が略両側壁２２、２３と平行になるのに十分な長さを備えている。水車１１は回転軸１３を垂直に設置した縦軸水車であり、整流部２１の下流側（増速流路１２の下流排水部）に設置している。
【００２９】
この水力エネルギ回収ユニット２０の増速流路１２は、上流取水口１５に流入した水を狭窄部１４で徐々に増速させて流水の単位流量あたりの水力エネルギを増大させる。狭窄部１４で増速した水は整流部２１に流入する。狭窄部１４では流路断面が変化するので水の流れ方向は一定ではないが、整流部２１では流路断面が一定であるので、整流部２１に流入した水は徐々に流れ方向が両側壁２２、２３と平行になる。すなわち、整流部２１では、水車１１の受水面に作用させる水力のベクトルが下流側に向けて一定方向に揃う。そして、整流部２１で流れ方向を一定方向にした水を水車１１の受水面に作用させることができる。これにより、水力エネルギ回収ユニット２０は、水車１１でより大きな水力エネルギを回収することができる。
【００３０】
なお、この第２実施形態の水力エネルギ回収ユニット２０は、増速流路１２に水の流れを増速させる狭窄部１４と整流部２１を備えたものであるが、狭窄部１４及び整流部２１の設計は河川流の水理条件を考慮して行うと良い。
【００３１】
次に、本発明の第３実施形態の水力エネルギ回収ユニットを説明する。
【００３２】
第３実施形態の水力エネルギ回収ユニット３０は、図５（ａ）（ｂ）に示すように、水力エネルギ回収装置としての水車１１’と、水車１１’に水を増速させて導入する増速流路１２を備えており、増速流路１２は、狭窄部１４と、潜堰部３１を備えている。
【００３３】
潜堰部３１は、図５（ａ）に示すように、先端３２が刃型の堰３３を流路の幅方向に延在させて設けたものである。堰３３の高さは上流側の水面よりも低くしている。この実施形態では、増速流路１２の上流側に狭窄部１４を設け、狭窄部１４の下流出口部に、上述した潜堰部３１を設け、潜堰部３１の下流（増速流路１２の下流排水部）に横軸水車１１’を設置している。
【００３４】
この水力エネルギ回収ユニット３０の増速流路１２は、上流取水口１５に流入した水を狭窄部１４で徐々に増速させる。潜堰部３１では、狭窄部１４で増速した水の流れを底部において堰き止め、より高い位置エネルギを有する流水の上層部分を下流側に流すことができ、狭窄部１４で増速した流水をさらに増速させることができる。これにより、潜堰部３１の下流側ではさらに単位流量当たりの水力エネルギが増大し、単位流量当たりの水力エネルギが増大した流水が水車１１’に作用する。これにより、水力エネルギ回収ユニット３０は、水車１１’でより大きな水力エネルギを回収することができる。なお、この実施形態では、潜堰部３１を越えて落下する水を水車１１’に作用させている。
【００３５】
以上、第３実施形態の水力エネルギ回収ユニット３０は、増速流路１２に水の流れを増速させる潜堰部３１を備えたものであるが、潜堰部３１の設計は河川流の水理条件を考慮して行うと良い。
【００３６】
例えば、潜堰部３１は流れ方向に平行な縦断面形状において先端が刃形の堰を例示したが、これに限定されず、例えば、（後述する図７（ｂ）に示すように、）上流側になだらかに高くなった斜面５２を設け、その頂部５３から下流側にむけなだらかに低くなった斜面５４を設けた、流れ方向に平行な縦断面形状において山状（略三角形又は略台形形状）の突出形状にしても良い。この山状の突出形状からなる潜堰部５１によれば、流水の下層部がよりスムーズに下流側に流れるようになるので、潜堰部を越えるときの水力エネルギを損失を低減させることができ、より大きな水力エネルギを水車に作用させることができる。
【００３７】
次に、第４実施形態の水力エネルギ回収ユニットを説明する。
【００３８】
第４実施形態の水力エネルギ回収ユニット４０は、図６（ａ）（ｂ）に示すように、水力エネルギ回収装置としての水車１１と、水車１１に水を増速させて導入する増速流路１２を備えており、増速流路１２は、狭窄部１４と、水門部４１を備えている。
【００３９】
水門部４１は、図６（ａ）に示すように、流路の上部において、幅方向に延在するように水門４２を設けている。水門４２の高さは上流側の水面よりも高く、かつ、水門４２の下端４３は増速流路１２の底４４から所定の高さだけ高い位置に設置している。この実施形態では、増速流路１２の上流側に狭窄部１４を設け、狭窄部１４の下流出口部に、上述した水門部４１を設け、水門部４１の下流に縦軸水車１１を設置している。
【００４０】
この水力エネルギ回収ユニット４０の増速流路１２は、上流取水口１５に流入した水を狭窄部１４で徐々に増速させる。水門部４１では、狭窄部１４で増速した水の流れの上層部分４５を水門４２で堰き止めて、水門４２の上流側近傍で水位を上昇させ、高い水圧が掛かった水門４２の上流側近傍の下層部分４６の水を下流側に噴出することができ、狭窄部１４で増速した流水をさらに増速させることができる。これにより、水門部４１の下流側ではさらに単位流量当たりの水力エネルギが増大し、単位流量当たりの水力エネルギが増大した流水が水車１１に作用する。これにより、水力エネルギ回収ユニット４０は、水車１１でより大きな水力エネルギを回収することができる。
【００４１】
以上、第４実施形態の水力エネルギ回収ユニット４０は、増速流路１２に水の流れを増速させる水門部４１を備えたものであるが、水門部４１の設計は河川流の水理条件を考慮して行うと良い。
【００４２】
以上に説明したように、増速流路において流水を増速させる手段としては、狭窄部、潜堰部、水門部を例示でき、また、これらは河川の水理条件を考慮して適宜に組み合わることができる。これらの増速手段を組み合わせたものを次の第５実施形態で例示する。
【００４３】
第５実施形態の水力エネルギ回収ユニット５０は、図７（ａ）（ｂ）に示すように、水力エネルギ回収装置としての水車１１’と、水車１１’に水を増速させて導入する増速流路１２を備えており、増速流路１２は、狭窄部１４と、山状の潜堰部５１と、整流部２１を備えている。
【００４４】
増速流路１２は、上流側に狭窄部１４を設け、下流側に整流部２１を設け、狭窄部１４と整流部２１の境界部分に山状の潜堰部５１を設置した流路構造を備えている。また、整流部２１の下流側（増速流路１２の下流排水部）には、水車１１’を設置する水車設置部を設けており、水車設置部には横軸水車１１’を設置している。
【００４５】
山状の潜堰部５１は、図７（ｂ）に示すように、上流側になだらかに高くなった斜面５２を設け、頂部５３から下流側に向けなだらかに低くなった斜面５４を設けたものであり、流れ方向に平行な縦断面形状において、略三角形の山状の突出形状を有している。この山状の突出形状からなる潜堰部５１は、流水の下層部をよりスムーズに下流側に流すことができるので、上述した先端が刃形の潜堰部５１に比べて、潜堰部５１を越えるときの水力エネルギを損失を低減させることができ、流水の速度をより増速させることができる。
【００４６】
この水力エネルギ回収ユニット５０の増速流路１２は、上流取水口１５に流入した水を狭窄部１４で徐々に増速させ、狭窄部１４で増速した流水をさらに山状の潜堰部５１で増速させることができ、さらに整流部２１で流れ方向を一定方向にした水を水車１１’の受水面に作用させることができる。これにより、水力エネルギ回収ユニット５０は、水車１１’でより大きな水力エネルギを回収することができる。
【００４７】
以上、第５実施形態の水力エネルギ回収ユニット５０は、増速流路１２に水の流れを増速させる狭窄部１４、山状の潜堰部５１、および、水の流れ方向を整える整流部２１を備えたものであるが、この流路構造の設計は河川流の水理条件を考慮して行うと良い。
【００４８】
本発明の水力エネルギ回収ユニットは、上述したように、水車１１と、水車１１に水を増速させて導入する増速流路１２をユニット化したものであり、河川流の流れの中に設置するものである。
【００４９】
次に、本発明に係る水力エネルギ回収ユニットの設置例を示す。
【００５０】
本発明に係る水力エネルギ回収ユニットは、例えば、川幅が広い河川では、河川の幅方向に、複数個並べて設置しても良い。また、川岸が護岸された川では、岸壁に水力エネルギ回収ユニットを設置しても良い。この場合、岸壁を増速流路の片側の壁面にすることができる。また、川幅が狭い河川では、川の両岸を利用して増速流路を構成しても良い。例えば、図８に示すように、橋脚６１の湾曲した上流側の壁面６２を、狭窄部６３の片側の側壁に利用して水力エネルギ回収ユニット６０を設けてもよい。この場合、詳しくは、橋脚６１の壁面６２に上流側から下流側に向けて徐々に近づくように斜めに設置した壁面６４と、橋脚６１の壁面６２と斜めに設置した壁面６４の下流に連続して整流部６５を構成する側壁６６、６７を設置している。水車６９は縦軸水車であり、整流部６６の下流側（増速流路の下流排水部）に設置したものである。このように、既存の橋脚を利用して水力エネルギ回収ユニットを設置することができる。
【００５１】
上述した水力エネルギ回収ユニットにより得られたエネルギは、水力発電に利用したり、圧縮空気を作成して、圧縮空気エネルギとして貯蔵したり、いろいろな用途に利用することができる。
【００５２】
以上、本発明に係る水力エネルギ回収ユニットの実施の形態を説明したが、本発明に係る水力エネルギ回収ユニットは上記の実施の形態に限定されるものではない。
【００５３】
【発明の効果】
請求項１に記載の水力エネルギ回収ユニットは、水力エネルギを回収する水力エネルギ回収装置と、前記水力エネルギ回収装置の上流側で水の流れを増速させ、増速させた水を水力エネルギ回収装置に導入する増速流路とを備えているので、増速流路で水の流れを増速させ、水力エネルギ回収装置に導入する水の単位流量あたりの水力エネルギを大きくすることができ、水力エネルギ回収装置でより効率良く水力エネルギを回収することができる。また、水力エネルギ回収ユニットは、河川の水の流れの中に設置することができ、河川を堰き止めることなく、その水力エネルギを効率よく利用することができ、ダムなどに比べ極めて低コストで、かつ、環境に優しい水力発電が可能になる。
【００５４】
請求項２に記載の水力エネルギ回収ユニットは、増速流路が、水力エネルギ回収装置の上流側に、上流側から下流側に向けて流路断面が徐々に縮小した狭窄部を備えているので、増速流路における狭窄部で、より多くの河川流を集めて水車に作用させることができ、かつ、狭窄部を流れる水を流路断面が徐々に狭くなるにつれて増速させて、水力エネルギ回収装置に導入する水の単位流量あたりの水力エネルギを大きくすることができ、より効率良く河川流の水力エネルギを回収することができる。
【００５５】
請求項３に記載の水力エネルギ回収ユニットは、増速流路が狭窄部で増速させた水の流れ方向を整えて水力エネルギ回収装置に導入する整流部を備えているので、整流部で流れ方向を一定方向にした流水を水力エネルギ回収装置の受水面に作用させることができ、より効率良く水力エネルギを回収することができる。
【００５６】
請求項４に記載の水力エネルギ回収ユニットは、増速流路が、水力エネルギ回収装置の上流側に、水の流れを増速させる潜堰部を備えているので、増速流路で潜堰部を越える位置エネルギの高い水を下流側に流すことによって水の流れを増速させることができる。これにより、水力エネルギ回収装置に導入する水の単位流量あたりの水力エネルギを大きくすることができ、より効率良く河川流の水力エネルギを回収することができる。
【００５７】
請求項５に記載の水力エネルギ回収ユニットは、増速流路が、前記水力エネルギ回収装置の上流側に、水の流れを増速させる水門部を備えているので、水門部で高い圧力の掛かった水を下流側に流すことによって水の流れを増速させることができ、水力エネルギ回収装置に導入する水の単位流量あたりの水力エネルギを大きくすることができ、より効率良く河川流の水力エネルギを回収することができる。
【００５８】
請求項６に記載の水力エネルギ回収ユニットは、狭窄部と整流部の境界部の底に、流れ方向の縦断面形状が山状の潜堰部を設けたので、狭窄部で水を増速させ、さらに山状の潜堰部を越えさせて水を増速させ、さらに整流部によって水の流れ方向が整えて水力エネルギ回収装置に導入しているので、より効率良く河川流の水力エネルギを回収することができる。
【図面の簡単な説明】
【図１】本発明の第１実施形態に係る水力エネルギ回収ユニットを示す平面図である。
【図２】本発明の第１実施形態の第１の変形例に係る水力エネルギ回収ユニットを示す平面図である。
【図３】本発明の第１実施形態の第２の変形例に係る水力エネルギ回収ユニットを示す縦断面図である。
【図４】本発明の第２実施形態に係る水力エネルギ回収ユニットを示す平面図である。
【図５】（ａ）は本発明の第３実施形態に係る水力エネルギ回収ユニットの縦断面図であり、（ｂ）はその平面図である。
【図６】（ａ）は本発明の第４実施形態に係る水力エネルギ回収ユニットの縦断面図であり、（ｂ）はその平面図である。
【図７】（ａ）は本発明の第５実施形態に係る水力エネルギ回収ユニットの平面図であり、（ｂ）はその平面図である。
【図８】橋脚の側壁を利用して本発明に係る水力エネルギ回収ユニットを設置した例を示す横断平面図である。
【符号の説明】
１０　第１実施形態の水力エネルギ回収ユニット１０
１１　水車
１２　増速流路
１３　回転軸
１４　狭窄部
１５　増速流路の上流取水口
１６、１７　狭窄部の側壁
１８　増速流路の下流排水口
２０　第２実施形態の水力エネルギ回収ユニット
２１　整流部
２２、２３　整流部の側壁
３０　第３実施形態の水力エネルギ回収ユニット
３１　潜堰部
３２　堰の先端
３３　堰
３４　流水の上層部分
４０　第４実施形態の水力エネルギ回収ユニット
４１　水門部
４２　水門
４３　水門の下端
４４　増速流路の底
４５　流水の上層部分
４６　水門の上流側近傍の下層部分
５０　第５実施形態の水力エネルギ回収ユニット
５１　山状の潜堰部
５２　上流側の斜面
５３　頂部
５４　下流側の斜面
【図１】
2004036453.tif 000003
【図２】
2004036453.tif 000004
【図３】
2004036453.tif 000005
【図４】
2004036453.tif 000006
【図５】
2004036453.tif 000007
【図６】
2004036453.tif 000008
【図７】
2004036453.tif 000009
【図８】
2004036453.tif 000010